(57)【要約】      （修正有）【課題】広範囲にわたって好ましい明るさが容易に得られ、更に、照明部分を収納状態にすることにより舞台の視認性を良くし、レストランと舞台の二つの空間を一台の装置で実現できる昇降照明装置を提供する。【解決手段】発光体を下面に配設した径の異なる複数のリング状体９を、垂下する紐状体１０により互いに連結すると共に、下方に位置するリング状体９を、垂下し且つ昇降する索条２０，２６の下端部に結着した。【選択図】図４
0003219133.tif 000002
【実用新案登録請求の範囲】
【請求項１】
発光体を下面に配設した径の異なる複数のリング状体を、垂下する紐状体により互いに連結すると共に、下方に位置するリング状体を、垂下し且つ昇降する索条の下端部に結着した昇降照明装置。
【請求項２】
前記複数のリング状体は上方より下方に位置するに従って小径に形成した請求項１に記載の昇降照明装置。
【請求項３】
天井部の上面に設けた補助昇降手段に補助索条を介して支持枠体を昇降可能に吊設すると共に、該支持枠体に設けた主昇降手段に前記索条を昇降可能に連結した請求項１又は請求項２に記載の昇降照明装置。
【考案の詳細な説明】
【技術分野】
【０００１】
本考案は、レストランでライブ演奏等のショーを楽しむことができるような場所等に設けられる昇降照明装置に関する。
【背景技術】
【０００２】
従来、昇降照明装置として、１本の索条に吊持された灯具と、前記索条を掛けるガイドを有する器具本体と、この器具本体の側部に配置されて前記ガイドに掛けられた前記索条を巻き取り巻き戻して前記灯具を昇降するドラムを有し前記ドラムを正または逆に回転する駆動手段を有する昇降ユニットとを備えた装置が知られている（特許文献１参照）。
【先行技術文献】
【特許文献】
【０００３】
【特許文献１】特開２００６−３０２６８６号公報
【考案の概要】
【考案が解決しようとする課題】
【０００４】
しかし、この従来の装置によれば、前記駆動手段により前記ドラムを正逆回転して前記索条を巻き取り巻き戻し、この巻き取り巻き戻しにより１本の該索条に吊持された前記灯具が昇降するようにしたので、例えば、レストランの上方に取り付けてテーブルの上方を照明しても単一の灯具であるので照明範囲が限定され、照明範囲を広くするように前記灯具を上方に移動すると明度が低下し、好ましい明るさが得られない問題点があった。
【０００５】
本考案はこのような問題点を解消し、広範囲にわたって好ましい明るさが容易に得られ、更に、照明部分を収納状態にすることにより舞台の視認性を良くし、レストランと舞台の二つの空間を一台の装置で実現できる昇降照明装置を提供することを目的とする。
【課題を解決するための手段】
【０００６】
本考案はこの目的を達成すべく、発光体を下面に配設した径の異なる複数のリング状体を、垂下する紐状体により互いに連結すると共に、下方に位置するリング状体を、垂下し且つ昇降する索条の下端部に結着した。
【考案の効果】
【０００７】
本考案によれば、広範囲にわたって好ましい十分な明るさが均等に得られる。更に、収納状態にすることにより舞台のショーが見易くなる。
【図面の簡単な説明】
【０００８】
【図１】本考案の昇降照明装置の実施例１の正面図である。
【図２】その側面図である。
【図３】図２のIII−III線切断面図である。
【図４】照明具の個所の拡大断面図である。
【図５】主昇降手段の個所の拡大平面図である。
【考案を実施するための形態】
【０００９】
本考案を実施するための形態の実施例を以下に示す。
【実施例１】
【００１０】
本考案の昇降照明装置の実施例１を図面により説明する。
【００１１】
図１は本考案の昇降照明装置の実施例１の正面図、図２はその側面図、図３は図２のIII−III線切断面図、図４は照明具の個所の拡大断面図、図５は主昇降手段の個所の拡大平面図である。
【００１２】
Ｓはライブの舞台、Ｒは該舞台Ｓの正面のレストランの個所、Ｃは該レストランの個所Ｒの天井部、１は該天井部Ｃから昇降可能に吊り下げられている支持枠体、２は該支持枠体１から昇降可能に吊り下げられている照明具を示す。            
【００１３】
前記天井部Ｃの下面には補助昇降手段３を設け、該補助昇降手段３はモータからなる補助回転駆動体４と該補助回転駆動体４に連動して回転する駆動リール５からなり、該駆動リール５に巻き付けられている第１補助索条６の下端部を、長方形枠体に形成されている前記支持枠体１の一方の隈部に結着すると共に、該駆動リール５に巻き付けられている第２補助索条７を中間において従動リール８を経て下端部を前記支持枠体１の他方の隈部に結着し、前記補助回転駆動体４の正逆回転により前記支持枠体１を昇降するようにした。
【００１４】
前記照明具２は、例えば図４に示す如く下方に向かうに従って径が小となる例えば8枚のリング状体９と、各リング状体９の下面に等間隔に装着した短い管状発光体と、これら各リング状体９を互いに等間隔に連結する複数例えば４本の紐状体１０とからなる。
【００１５】
１１は前記支持枠体１の上面に設置した主昇降手段を示し、該主昇降手段１１は、モータからなる主回転駆動体１２と、該主回転駆動体１２に連結した変速機１３と、該変速機１３の出力軸に固定した第１主リール１４と、第１主リール１４に噛合する大小の歯車等の減速機構１５を介して連絡した第２主リール１６と、前記第１主リール１４に巻き付けられ第１従リール１７を経て先端の下端部が前記最下端に位置するリング状体９に結着する第１主索条１８と、前記第１主リール１４に巻き付けられ第２従リール１９を経て先端の下端部が前記最下端に位置するリング状体９に結着する第２主索条２０と、前記第１主リール１４に巻き付けられ第３従リール２１と第４従リール２２を経て先端の下端部が前記最下端に位置するリング状体９に結着する第３主索条２３と、前記第１主リール１４に巻き付けられ第５従リール２４と第６従リール２５を経て先端の下端部が前記最下端に位置するリング状体９に結着する第４主索条２６と、前記第２主リール１６に巻き付けられ第７従リール２７と第８従リール２８を経て先端の下端部が中間に位置するリング状体９に結着する第１従索条２９と、前記第２主リール１６に巻き付けられ第９従リール３０と第１０従リール３１を経て先端の下端部が中間に位置する前記リング状体９に結着する第２従索条３２と、前記第２主リール１６に巻き付けられ第１１従リール３３と第１２従リール３４を経て先端の下端部が中間に位置する前記リング状体９に結着する第３従索条３５と、前記第２主リール１６に巻き付けられ第１３従リール３６と第１４従リール３７を経て先端の下端部が中間に位置する前記リング状体９に結着する第４従索条３８とからなる。そして、前記主リール及び前記従リールは前記支持枠体１の上方に軸支されている。
【００１６】
ここで、前記第１乃至第４主索条１８，２０，２３，２６が索条に相当する。又、前記減速機構１５の噛合する大小の歯車の歯数比は２対１に形成されている。
【００１７】
そして、前記照明具２は、図１及び図３に示すように前記支持枠体１に３セットが等間隔に設置されている。
【００１８】
尚、３９は前記レストランの個所Ｒの各テーブルと椅子、４０は前記舞台Ｓを照らす演出照明器具、４１はスピーカーを示す。
【００１９】
次に本実施例１の昇降照明装置の作用と効果を説明する。
【００２０】
最初は、図１の如く、前記支持枠体１が前記天井部Ｃの近傍の上方に位置し、該支持枠体１から図４に示す如く照明具２の下方に向かうに従って径が小となるリング状体９が互いに等間隔で吊り下げられて逆円錐台状に形成されている。そして、各リング状体９に等間隔に装着した短い管状発光体が発光し広範囲にわたって前記レストランＲの個所を均等に且つ明るく照らし、お客が食事を楽しむことができる。
【００２１】
次に、舞台Ｓでのショーを鑑賞するときには、前記主昇降手段１１の前記主回転駆動体１２を一方に回転駆動すると前記変速機１３を介して前記第１主リール１４を回転すると共に更に前記減速機構１５を介して前記第２主リール１６を回転する。そして、該第１主リール１４の回転により前記第１主索条１８、前記第２主索条２０、前記第3主索条２３及び前記第４主索条２６を同時に巻き上げ、又、前記第２主リール１６の回転により前記第１従索条２９、前記第２従索条３２、前記第３従索条３５及び前記第４従索条３８を同時に巻き上げる。このとき、前記減速機構１５の噛合する大小の歯車の歯数比が２対１に形成されているので、前記主リール１４は前記第２リール１６の２倍の回転速度で回転し、かくて、前記第１主索条乃至第４主索条１８，２０，２３，２６は前記第１従索条乃至第４従索条２９，３２，３５，３８の2倍の速度で巻き上げられ、その結果、下方半分の前記リング状体９が上方半分の前記リング状体９と同時に持ち上げられ、短時間に全てのリング状体９が上方に持ち上げられて図１、図２及び図４のＡに示す如く収納状態になる。この状態で各リング状体９に等間隔に装着した短い管状発光体を消灯することにより前記レストランの個所Ｒ の客席の客は照明具２に邪魔されることなく前記舞台Ｓでのショーを鑑賞することができる。
【００２２】
ショーの終了後、前記主昇降手段１１の前記主回転駆動体１２を他方に回転駆動すると前記第１主リール１４と前記第２主リール１６が逆方向に回転し、該第１主リール１４より前記第１主索条乃至第４主索条１８，２０，２３，２６を又、前記第２主リール１６より前記第１従索条乃至第４従索条２９，３２，３５，３８を巻き戻し、前記第１主索条乃至第４主索条１８，２０，２３，２６を前記第１従索条乃至第４従索条２９，３２，３５，３８の２倍の速度で降下させ全てのリング状体９が等間隔に吊り下げられて図４に示すように復元される。
【００２３】
尚、照明具２をメンテナンスするときには、図１、図２及び図４のＡに示す如く前記照明具２を収納状態にし、前記補助昇降手段３の前記補助回転駆動体４を回転駆動して前記駆動リール５を回転し、前記第１補助索条６と前記第２補助索条７を巻き戻して降下させて図１及び図２のＢに示す如く前記支持枠体１を前記レストランの個所Ｒの床面部に近付けて前記照明具２をメンテナンスする。
【００２４】
前記実施例において、前記照明具２のリング状体９として、円形の例をしめしたが、方形であってもよい。又、８枚のリング状体９の例を示したが、２枚以上のいずれの枚数であってもよい。
【産業上の利用可能性】
【００２５】
本考案は、劇場の舞台等を併設するレストランの個所の照明として利用される。
【符号の説明】
【００２６】
Ｓ    舞台
Ｒ    レストラン  
１    支持枠体
２    照明具
３    補助昇降手段
６    補助索条
７    補助索条
９    リング状体
１０    紐状体
１１    主昇降手段
１８    索条
２０    索条
２３    索条
２６    索条
【図１】
0003219133.tif 000003
【図２】
0003219133.tif 000004
【図３】
0003219133.tif 000005
【図４】
0003219133.tif 000006
【図５】
0003219133.tif 000007